(57)【要約】【課題】グリップアンカー抜き取り治具及び抜き取ったグリップアンカーの落下防止を図るとともに、抜き取り作業に影響を与えないグリップアンカー抜き取り治具の提供。【解決手段】切頭円錐形状のコーン２ｂでアンカー２ａの先端を拡げて楔効果によりコンクリート構造物に固定されたグリップアンカー抜き取り治具３であって、抜き取り治具３の中央部周囲にグリップアンカー２と螺合可能な雄ねじ部３Ｃと、抜き取り治具３の先端にグリップアンカー２の中空部を介してコーン２ｂを押し付けるに十分な長さを有する突起部３Ｂと、抜き取り治具３に外力を印加する操作部３Ａとを備えたグリップアンカー抜き取り治具３において、操作部３Ａのおねじ部３Ｃ近傍に設けられ、所定の深さと所定の幅を有する溝部３Ａａと、この溝部３Ａａに回転自在に装着した八の字状のリング４と、この八の字状のリング４に着脱自在に装着される所定長の紐体６とを備えたものである。【選択図】図２
2010043427.tif 000002
【特許請求の範囲】
【請求項１】
切頭円錐形状のコーンでアンカーの先端を拡げて楔効果によりコンクリート構造物に固定されたグリップアンカー抜き取り治具であって、前記グリップアンカー取り外し治具の中央部周囲にグリップアンカーの雌ねじと螺合可能な雄ねじ部と、前記グリップアンカー抜き取り治具の先端に前記グリップアンカーの中空部を介して前記コーンを押し付けるに十分な長さを有する突起部と、前記グリップアンカー抜き取り治具に外力を印加する操作部とを備えたグリップアンカー抜き取り治具において、
前記操作部の前記おねじ部近傍に設けられ、所定の深さと所定の幅を有する溝部と、
この溝部に回転自在に装着した八の字状のリングと、
この八の字状のリングに着脱自在に装着される所定長の紐体とを備えたことを特徴とするグリップアンカー抜き取り治具。
【請求項２】
請求項１記載のグリップアンカー抜き取り治具において、
前記雄ねじ部は、前記グリップアンカーに設けられる雌ねじ部に螺着可能な三角雄ねじを、所定寸法切削したことを特徴とするグリップアンカー抜き取り治具。
【請求項３】
請求項１記載のグリップアンカー抜き取り治具において、
前記操作部は断面六角の六角柱形状を成し、全体の略半分の長さを有するとともに、先端近傍に対面を貫通して設けられる所定径の穴と、
この穴に間挿可能な所定長の丸棒とを備えたことを特徴とするグリップアンカー抜き取り治具。
【発明の詳細な説明】
【技術分野】
【０００１】
本発明は、コンクリート構造物に取り付けたグリップアンカーの抜き取り治具に関する。
【背景技術】
【０００２】
まず、図９のグリップアンカーの装着を示す断面図にて、グリップアンンカーの装着を説明する。
【０００３】
コンクリート構造物に外壁工事用の足場や広告看板等を取り付ける場合には、通常、構造物である外壁１の所定の場所に穴１ａをあけてグリップアンカー２を打ち込み、このグリップアンカー２に図示しないボルトを締結させて足場等を連結する。
【０００４】
グリップアンカー２は、先端部に軸方向スリットが形成され、内周に雌ねじ部を有する円筒状のスリーブ２ａと、スリーブ２ａ先端部に圧入される切頭円錐形状のコーン２ｂとからなり、コーン２ｂを圧入したスリーブ２ａを構造物にあけた穴に入れて打ち込むことにより、スリーブ２ａの先端部が拡開して楔効果にて構造物へ固定され、その後でスリーブ２ａに図示しないボルトをねじ込むようになっている。
【０００５】
一方、グリップアンカー２を使用後も放置すると、グリップアンカー２の錆が雨水等に混じって流れ、構造物の外壁１を汚すことが多い。このため、予めスリーブ２ａを構造物外壁１から突出しないように打ち込んでおき、使用後には樹脂モルタルを塗り込んで補修したり、グリップアンカー抜き取り治具にてスリーブ２ａ先端部の拡開を窄めてグリップアンカーを引き抜き、穴１ａからコーン２ｂを取り外した後、穴１ａに樹脂モルタルを充填して補修している。
【０００６】
ここで、グリップアンカー抜き取り治具は、グリップアンカー２のスリーブ２ａに設けられる雌ねじに螺合される雄ねじ部と、この雄ねじ部の端部にそれぞれ一体に形成された小径の突起部および操作部とから構成され、操作部の端部から外力を印加して回転駆動することにより雄ねじ部を螺進させ、グリップアンカー２のスリーブ２ａを外壁１の表面方向に移動させスリーブ先端部を窄めて楔効果をなくしてから、操作部を掴んで外壁から引き抜かれる(特許文献１，特許文献２参照)。
【特許文献１】特許第２９８６３５２号公報
【特許文献２】特開２０００−２２０２９６号公報
【発明の開示】
【発明が解決しようとする課題】
【０００７】
上述したように、グリップアンカーの抜き取り作業は、建物の壁で足場の上での高所作業となるため、壁からグリップアンカーを引き抜くとき、手が滑ってグリップアンカーやグリップアンカー抜き取り治具を落下させ、建物に物損を与えたり、下方の道路を移動する車や通行人に当ててしまう虞があった。
【０００８】
また、スリーブをハンマーで叩いてグリップアンカーを装着するため、スリーブに設けた雌ねじが潰れて螺着させるボルトが螺進不能となると、螺着させようとするボルトは外れるが、グリップアンカー抜き取り治具の雄ねじがスリーブの雌ねじを螺進できず、グリップアンカー抜き取り治具が使えないことが発生することがあった。
【０００９】
また、特許文献１に記載のグリップアンカー抜き取り治具は、操作部をＴ字状のハンドルを有しているため、非力な人でもグリップアンカーを容易に引き抜くことができるが、持ち運びや収納も邪魔になる問題が有り、また、特許文献２に記載のグリップアンカー抜き取り治具は、操作部が六角形の棒状体をしており、持ち運びや収納に邪魔にならないが、グリップアンカーを引き抜くとき手が滑り易く、非力な人には扱い難いという問題がある。
【００１０】
本発明の第一の目的は、グリップアンカー抜き取り治具及び抜き取ったグリップアンカーの落下防止を図るとともに、抜き取り作業に影響を与えないグリップアンカー抜き取り治具を提供することにある。
【００１１】
また、本発明の第二の目的は、グリップアンカーのスリーブに設けた雌ねじが、ボルトが螺進不能に潰れていても、使用可能なグリップアンカー抜き取り治具を提供することにある。
【００１２】
また、本発明の第三の目的は、持ち運びや収納に適し、作業し易いグリップアンカー抜き取り治具を提供することにある。
【課題を解決するための手段】
【００１３】
上記第一の目的を達成するために請求項１の発明は、切頭円錐形状のコーンでアンカーの先端を拡げて楔効果によりコンクリート構造物に固定されたグリップアンカー抜き取り治具であって、前記グリップアンカー抜き取り治具の中央部周囲にグリップアンカーの雌ねじと螺合可能な雄ねじ部と、前記グリップアンカー抜き取り治具の先端に前記グリップアンカーの中空部を介して前記コーンを押し付けるに十分な長さを有する突起部と、前記グリップアンカー抜き取り治具に外力を印加する操作部とを備えたグリップアンカー抜き取り治具において、前記操作部の前記おねじ部近傍に設けられ、所定の深さと所定の幅を有する溝部と、この溝部に回転自在に装着した八の字状のリングと、この八の字状のリングに着脱自在に装着される所定長の紐体とを備えたものである。
【００１４】
また、上記第二の目的を達成するために請求項２の発明は、前記雄ねじ部は、前記グリップアンカーに設けられる雌ねじ部に螺着可能な三角雄ねじを、所定寸法切削したものである。
【００１５】
また、上記第三の目的を達成するために請求項３の発明は、前記操作部は断面六角の六角柱形状を成し、全体の略半分の長さを有するとともに、前記操作部先端近傍に対面を貫通して設けられる所定径の穴と、この穴に間挿可能な所定長の丸棒とを備えたものである。
【発明の効果】
【００１６】
請求項１記載の発明によれば、紐体の一端を八の字状のリングに他端を身体に装着させることで、グリップアンカー抜き取り治具が落下することはなく、グリップアンカー抜き取るために操作部に回転力を付与しても紐体がグリップアンカーに絡まることはない。
【００１７】
請求項２記載の発明によれば、グリップアンカーのスリーブに設けた雌ねじとグリップアンカー抜き取り治具に設けた雄ねじとには間隙が生じているため、スリーブに設けた雌ねじが若干潰れていても、影響を受けることなく螺進できる。
【００１８】
請求項３記載の発明によれば、断面六角形の操作部を全長の略半分の長さとしたので、グリップアンカー抜き取り治具をしっかり掴むことができ、確実にグリップアンカーを引き抜くことができる。また、操作部先端近傍に設けた穴に丸棒を挿入してＴ字状とすることで、スパナを用いずに操作部へ回転力を付与することができるとともに、非力な作業者であっても、手を滑らすことなく確実にグリップアンカーを引き抜くことができる。
【発明を実施するための最良の形態】
【００１９】
以下、本発明の実施形態を図１〜図８に基づいて説明する。
【００２０】
図１は本発明の一実施形態であるグリップアンカー抜き取り治具の外観示す斜視図で、図２は本発明の一実施形態であるグリップアンカー抜き取り治具の正面図で、図３〜図８は本発明の一実施形態のグリップアンカー抜き取り治具を使ったグリップアンカー抜き取り手順を説明する正面図である。図９はグリップアンカーの装着を説明する断面図である。
【００２１】
本発明の一実施形態であるグリップアンカー抜き取り治具を図１、図２を用いて説明する。
【００２２】
図１、図２において、グリップアンカー抜き取り治具３の一端には、スパナやレンチなどが装着可能なように断面六角形の操作部３Ａが設けられ、この六角柱の部分でグリップアンカー抜き取り治具３に回転力を付与し、グリップアンカー抜き取り治具３の他端には、コーン２ｂを押し付ける突起部３Ｂが設けられ、グリップアンカー抜き取り治具３の中央部には、グリップアンカー２に設けられる図示しない雌ねじと螺合可能な雄ねじ部３Ｃが設けられている。ここで、突起部３Ｂは、グリップアンカー２に設けられる図示しない雌ねじと雄ねじ部３Ｃが螺合して進退可能な位置のとき、グリップアンカー２の図示しない雌ねじの中空部を介してコーン２ｂに当接する長さを有している。
【００２３】
また、グリップアンカー２に設けられる図示しない雌ねじの三角ねじに螺合可能な雄ねじ部３Ｃは、三角ねじを所定寸法３Ｃａ(例えば０.５ｍｍ)切削した雄ねじに形成され、グリップアンカー２の図示しない雌ねじが潰れていても螺着可能である。
【００２４】
また、操作部３Ａは、グリップアンカー抜き取り治具３における全長の半分の長さを有するとともに、雄ねじ部３Ｃの近傍には所定の深さと所定の幅を有する溝部３Ａａが設けられ、この溝部３Ａａには八の字リング４が回転自在に装着され、また、端部近傍には六角柱の対面を貫通する所定径の穴３Ａｂが設けられ、所定長の丸棒５が穴３Ａｂに挿入可能に形成されている。
【００２５】
また、八の字リング４には所定長のループホルダー６のホルダー部６ａが装着自在に取り付けられ、ホルダー部６ａには所定長の紐６ｂが取り付けられており、この紐６ｂの端部は図示しない作業者のベルトやベルトのループに装着され、ループホルダー６をグリップアンカー抜き取り治具３の八の字リング４に取り付けることで、グリップアンカー抜き取り治具３の落下を防止している。
【００２６】
次に、このグリップアンカー抜き取り治具３を用いたグリップアンカー２の抜き取り手順を図３〜図８を用い説明する。
【００２７】
まず、図３に示すように、グリップアンカー抜き取り治具３の八の字リング４にループホルダー６のホルダー部６ａを取り付けるとともに、このホルダー部８ａに取り付けられる紐６ｂの端部を図示しない作業者のベルトに装着して、グリップアンカー抜き取り治具３の落下防止を図っておき、外壁１に装着されるグリップアンカー２にグリップアンカー抜き取り治具３を近づける。
【００２８】
次に、図４に示すように、グリップアンカー２の図示しない雌ねじの中空部を介してグリップアンカー抜き取り治具３の突起部３Ｂを挿入し、操作部３Ａを廻してグリップアンカー２の図示しない雌ねじに雄ねじ部３Ｃを螺進させる。ここで、操作部３Ａを廻しても八の字リング４は溝部３Ａａに回転自在に装着されているため、紐６ｂがグリップアンカー抜き取り治具３に絡みつくことはない。
【００２９】
次に、図５に示すように、グリップアンカー抜き取り治具３の突起部３Ｂがコーン２ｂに当接すると、操作部３Ａにラチエットレンチ７を装着させ、更に操作部３Ａに回転を付与すると、図６に示すように、グリップアンカー２のスリーブ２ａにねじ部３Ｃの回転に対する反作用の回転が生じて外壁１の表面方向に移動するとともに、この移動により外壁１の穴１ａの内壁で押えられスリーブ先端部が窄まり、楔効果が無くなる。
【００３０】
次に、スリーブ２ａに楔効果が無くなると、図７に示すように、操作部３Ａを掴み、グリップアンカー抜き取り治具３を引き抜くと、図８に示すように、雄ねじ部３Ｃに螺着したスリーブ２ａを外壁１から取り外すことができ、穴１ａに残ったコーン２ｂを取り出し、グリップアンカー２の取り外し作業が終了する。ここで、図７、図８で、操作部３Ａを掴んでグリップアンカー抜き取り治具３引き抜くとき、手が滑ってグリップアンカー抜き取り治具３を落としても、八の字リング４に装着したループホルダー６が落下を防止する。
【００３１】
また、図５、図６で操作部３Ａにラチエットレンチ７を装着させた説明を行なったが、操作部３Ａに設けた穴３Ａｂに丸棒５を挿入して回転力を付与しても、同様であるので説明は省略する。
【００３２】
また、操作部３Ａに設けた穴３Ａｂに丸棒５を挿入した状態でのグリップアンカー抜き取り治具３の引き抜きは、非力な人でも容易行なえ、手が滑ることも無い。
【００３３】
また、操作部３Ａの穴３Ａｂに挿入する丸棒５と六画柱を含むグリップアンカー抜き取り治具３は、棒体形状を成しているので、別個にすれば嵩張らずに収納できる。
【００３４】
また、グリップアンカー抜き取り治具３の少なくとも突起部３Ｂ及び雄ねじ部３Ｃに焼き入れ加工を行なえば、当接部と螺合部の変形や磨耗が減少するので、グリップアンカー抜き取り治具３の寿命は延びる。
【図面の簡単な説明】
【００３５】
【図１】本発明の一実施形態であるグリップアンカー抜き取り治具の外観示す斜視図である。
【図２】本発明の一実施形態であるグリップアンカー抜き取り治具の正面図である。
【図３】本発明の一実施形態のグリップアンカー抜き取り治具を使ったグリップアンカーの抜き取り手順で、グリップアンカー抜き取り治具をグリップアンカーへ装着する正面図である。
【図４】本発明の一実施形態のグリップアンカー抜き取り治具を使ったグリップアンカーの抜き取り手順で、グリップアンカー抜き取り治具をグリップアンカーへ螺進させている正面図である。
【図５】本発明の一実施形態のグリップアンカー抜き取り治具を使ったグリップアンカーの抜き取り手順で、グリップアンカー抜き取り治具の先端がコーンに当接し、更に回転力を加えるときの正面図である。
【図６】本発明の一実施形態のグリップアンカー抜き取り治具を使ったグリップアンカーの抜き取り手順で、グリップアンカー抜き取り治具に更に回転力を加えて、スリーブが移動し楔効果を失ったときの正面図である。
【図７】本発明の一実施形態のグリップアンカー抜き取り治具を使ったグリップアンカーの抜き取り手順で、グリップアンカー抜き取り治具に螺着したスリーブを引き抜くときの正面図である。
【図８】本発明の一実施形態のグリップアンカー抜き取り治具を使ったグリップアンカーの抜き取り手順で、スリーブを引き抜きが完了したときの正面図である。
【図９】グリップアンカーの装着を説明する断面図である。
【符号の説明】
【００３６】
１‥‥外壁
１ａ‥‥穴
２‥‥グリップアンカー
２ａ‥‥スリーブ
２ｂ‥‥コーン
３‥‥グリップアンカー抜き取り治具
３Ａ‥‥操作部
３Ａａ‥‥溝
３Ａｂ‥‥穴
３Ｂ‥‥突起部
３Ｃ‥‥雄ねじ部
４‥‥八の字リング
５‥‥丸棒
６‥‥ループホルダー
６ａ‥‥ホルダー部
６ｂ‥‥紐
７‥‥ラチエットレンチ
【図１】
2010043427.tif 000003
【図２】
2010043427.tif 000004
【図３】
2010043427.tif 000005
【図４】
2010043427.tif 000006
【図５】
2010043427.tif 000007
【図６】
2010043427.tif 000008
【図７】
2010043427.tif 000009
【図８】
2010043427.tif 000010
【図９】
2010043427.tif 000011